(57)【特許請求の範囲】
【請求項１】
写真フィルムにクロック側領域とデータ側領域とを互いに隣接して設け、前記クロック側領域にクロック情報をコード化して記録したクロック側コードと、前記データ側領域に識別情報をコード化して記録したデータ側コードと、を隣接して構成した識別コードを読み取る識別コード読取り装置であって、
前記識別コードに対して光を照射する照射手段と、
前記識別コードを透過した光を前記隣接する方向に所定の長さだけ通過させるスリットが設けられたスリット板と、
前記所定の長さよりも長い受光領域長を前記隣接する方向に有し、前記スリットを通過した光を受光すると共に、前記光を受光した受光位置に基づいて、前記クロック側の出力端と前記データ側の出力端とから、前記クロック側領域を透過した光を受光することで出力されるクロック側領域受光出力と前記データ側領域を透過した光を受光することで出力されるデータ側領域受光出力とを合わせた信号をそれぞれ出力するＰＳＤセンサと、
前記所定の長さと前記受光領域長とに基づいて、前記ＰＳＤセンサからの信号を前記クロック側領域受光出力と前記データ側領域受光出力とに分離する出力分離手段と、
前記クロック側領域受光出力と前記データ側領域受光出力とに基づいて、前記識別コードを解読する解読手段と、
を備えたことを特徴とする識別コード読取り装置。
【請求項２】
前記クロック側領域受光出力又は前記データ側領域受光出力が、前記ＰＳＤセンサでの前記クロック側領域を透過した光の受光量又は前記データ側領域を透過した光の受光量に対応して分離されることを特徴とする請求項１記載の識別コード読取り装置。
【発明の詳細な説明】
【０００１】
【発明の属する技術分野】
本発明は、写真フィルムにクロック側領域とデータ側領域とを互いに隣接して設け、前記クロック側領域にクロック情報をコード化して記録したクロック側コードと、前記データ側領域に識別情報をコード化して記録したデータ側コードと、を隣接して構成した識別コードを読み取る識別コード読取り装置に関する。
【０００２】
【従来の技術】
従来より写真プリントを作成する際、フィルム搬送装置でネガフィルム等の写真フィルムを搬送し、ネガフィルムに形成されたネガ画像のコマを光学センサによって光電的に読み取り、前記読み取りによって得られた前記ネガ画像を露光装置によって印画紙に焼き付けることが行われている。ここで、前記ネガフィルムの幅方向端部には、前記ネガ画像を印画紙に焼き付ける焼付け条件等を指定する際などに利用するバーコードである識別コード（一例としてＤＸコード）が記録されている。前記識別コードは、少なくとも前記写真フィルムの種類及びメーカー名を含む識別情報を予め設定された規格に従ってクロック側の領域（以下、「クロック側領域」という。）とデータ側の領域（以下、「データ側領域」という。）とを隣接してコード化したものとなっており、光学センサで読取られた前記識別コードを利用して、印画紙にネガ画像の焼付けが行われるようになっている。
【０００３】
前記識別コードを読み取るための光学センサとして、ＰＳＤ（Ｐｏｓｉｔｉｏｎ  Ｓｅｎｓｉｔｉｖｅ  Ｄｅｔｅｃｔｏｒ）センサを用いた識別コード読取装置が存在する。前記ＰＳＤセンサには、２つの出力端が設けられており、前記出力端からは、受光位置と受光量とに応じて電流値が変化する光電流を出力するようになっている。
【０００４】
図９には、ＰＳＤセンサ３００が受光した光の位置（受光位置）と、前記２つの出力端から出力される信号の出力特性と、が示されている。ここでは、前記ＰＳＤセンサ３００の前記隣接する方向の受光領域の長さ（受光領域長）をＬとした場合が示されている。
【０００５】
前記ＰＳＤセンサ３００が光（入力光）を受光すると、前記ＰＳＤセンサ３００の受光領域での受光位置から前記受光領域の両端に向けてそれぞれ電荷が移動し、前記両端の各々に移動した電荷に応じて、前記２つの出力端の各々から信号（光電流）が出力されるようになっている。
【０００６】
より詳細には、前記ＰＳＤセンサ３００では、電荷が移動する前記受光領域の表面での距離に応じた表面抵抗の差により、上述した２つの出力端のうち一方の出力端からの信号である左出力Ｏ１（実線の矢印を参照）と、他方の出力端からの信号である右出力Ｏ２（破線の矢印を参照）と、の間に出力差が生じる。前記入力光の受光位置に応じて前記出力差が変動することから、前記出力差に基づいて前記入力光の受光位置が特定できる。
【０００７】
また、図９には、前記ＰＳＤセンサ３００の受光領域の全てに亘って均一に光を照射した場合における、左出力Ｏ１及び右出力Ｏ２が示されている。前記左出力Ｏ１は、各受光位置での出力（実線の矢印）を積分した△ＰＱＲの面積に相当する出力となる。また、前記右出力Ｏ２は、前記各受光位置での出力（破線の矢印）を積分した△ＰＱＳの面積に相当する出力となる。
【０００８】
ここで、図１０（Ａ）に示される如く、ＰＳＤセンサ３００によってバーコード３０２が読み取られる場合、前記ＰＳＤセンサ３００の受光領域の前記隣接する方向（長手方向）の中心が、前記バーコード３０２における境界線（図１０での一点鎖線）上に位置するように配置される。前記バーコード３０２における境界線によって２つに分けられた領域のうち一方がクロック側領域３０２Ａ、他方がデータ側領域３０２Ｂとなる。
【０００９】
前記ＰＳＤセンサ３００の２つの出力端のうち一方が前記クロック側領域３０２Ａと対向するように配置され、他方が前記データ側領域３０２Ｂと対向するように配置される。前記クロック側領域３０２Ａと対向するように配置された前記ＰＳＤセンサ３００の出力端からは、光を受光することで出力される信号であるクロック側出力Ｃｏが出力されるようになっている。また、前記データ側領域３０２Ｂと対向するように配置された前記ＰＳＤセンサ３００の出力端からは、光を受光することで出力される信号であるデータ側出力Ｄｏが出力されるようになっている。
【００１０】
また、前記クロック側領域３０２Ａでのコードを検出する間隔で、前記データ側領域３０２Ｂでのコードを検出することで、前記バーコード３０２の解読が行われる。
【００１１】
ここで、上述したＰＳＤセンサ３００の特性により、例えば前記ＰＳＤセンサ３００のクロック側出力Ｃｏ又はデータ側出力Ｄｏが、データ側領域３０２Ｂからの入力光（受光量）Ｄｉ及びクロック側領域３０２Ａからの入力光（受光量）Ｃｉの双方に影響されてしまうことになる。このため、クロック側出力Ｃｏとデータ側出力Ｄｏとから前記クロック側領域３０２Ａでの入力光Ｃｉ又は前記データ側領域３０２Ｂでの入力光Ｄｉのみに基づいた出力を算出する「分離」というデータ処理（以後、単に「分離処理」という。）が行われている。すなわち、前記分離処理によって、前記２つの出力端から出力される信号であるクロック側出力Ｃｏとデータ側出力Ｄｏとの各々は、前記入力光Ｃｉに基づいた出力であるクロック側領域受光出力と、前記入力光Ｄｉに基づいた出力であるデータ側領域受光出力と、に分離されるようになっている。
【００１２】
図１０（Ｂ）には、クロック側出力Ｃｏに含まれる、クロック側領域受光出力及びデータ側領域受光出力が示されている。
【００１３】
上述した「分離処理」に用いられるパラメータは、ＰＳＤセンサ３００の受光領域長Ｌの全域に亘って均一に光を受光しているものとして設定されている。このため、図１０（Ｂ）に示される如く、前記クロック側領域受光出力（網点部）と前記データ側領域受光出力（黒色部）との比は、３：１とされている。
【００１４】
すなわち、
Ｃｏ＝３Ｃｉ＋Ｄｉ…（１）
Ｄｏ＝Ｃｉ＋３Ｄｉ…（２）
が成り立つ。すなわち、クロック側出力Ｃｏに含まれる、クロック側領域受光出力とデータ側領域受光出力との各々は、３Ｃｉ、Ｄｉに相当する。また、データ側領域受光出力Ｄｏに含まれる、クロック側領域受光出力とデータ側領域受光出力との各々は、Ｃｉ、３Ｄｉに相当する。式（１）及び式（２）からなる連立方程式を入力光Ｃｉと入力光Ｄｉとのそれぞれについて解くと、
Ｃｉ＝（３Ｃｏ−Ｄｏ）／８…（３）
Ｄｉ＝（３Ｄｏ−Ｃｏ）／８…（４）
となる。このようにして得られた式（３）及び式（４）に基づいて、上述した「分離処理」が行われる。
【００１５】
しかしながら、このＰＳＤセンサ３００が上述したバーコード３０２の読取りに用いられる際には、前記ＰＳＤセンサ３００の受光面（受光領域）と対向する位置にスリットが設けられているため、前記ＰＳＤセンサ３００からの出力は、前記ＰＳＤセンサ３００の受光領域の一部からしか得られないことになる。このため、受光領域長Ｌの全てに亘って光を受光していないにも関わらず、前記受光領域長Ｌの全てに亘って光を受光しているものとして上述した「分離処理」を実行すると、上述した網点部と黒色部との面積比が図１０（Ｂ）に示される場合とは異なってしまう。その結果、前記ＰＳＤセンサ３００から出力される信号をクロック側領域受光出力とデータ側出力とに分離する「分離処理」が不十分となり、バーコード３０２の読取りに誤りが生じてしまうことがあった。
【００１６】
本発明は上記事実を考慮し、従来よりもバーコード等の識別コードの読取り精度を向上させることのできる識別コード読取り装置を得ることを目的とする。
【００１７】
【課題を解決するための手段】
請求項１に記載の発明は、写真フィルムにクロック側領域とデータ側領域とを互いに隣接して設け、前記クロック側領域にクロック情報をコード化して記録したクロック側コードと、前記データ側領域に識別情報をコード化して記録したデータ側コードと、を隣接して構成した識別コードを読み取る識別コード読取り装置であって、前記識別コードに対して光を照射する照射手段と、前記識別コードを透過した光を前記隣接する方向に所定の長さだけ通過させるスリットが設けられたスリット板と、前記所定の長さよりも長い受光領域長を前記隣接する方向に有し、前記スリットを通過した光を受光すると共に、前記光を受光した受光位置に基づいて、前記クロック側の出力端と前記データ側の出力端とから、前記クロック側領域を透過した光を受光することで出力されるクロック側領域受光出力と前記データ側領域を透過した光を受光することで出力されるデータ側領域受光出力とを合わせた信号をそれぞれ出力するＰＳＤセンサと、前記所定の長さと前記受光領域長とに基づいて、前記ＰＳＤセンサからの信号を前記クロック側領域受光出力と前記データ側領域受光出力とに分離する出力分離手段と、前記クロック側領域受光出力と前記データ側領域受光出力とに基づいて、前記識別コードを解読する解読手段と、を備えたことを特徴としている。
【００１８】
請求項１に記載の発明によれば、一般に、ＰＳＤセンサのクロック側の出力端及びデータ側の出力端から出力される信号は、データ側領域受光出力とクロック側領域受光出力とが含まれている。このため、前記クロック側の出力端又は前記データ側の出力端から出力される信号が、前記クロック側領域受光出力と前記データ側領域受光出力とに分離される必要がある。しかしながら、従来の識別コード読取り装置では、前記ＰＳＤセンサの受光領域長のみに基づいて、前記ＰＳＤセンサから出力される前記信号を分離していたため、前記信号の分離が不十分となり、識別コード（一例としてＤＸコード）の読取りを誤ってしまう場合があった。そこで、請求項１に記載の発明では、前記受光領域長だけでなく、スリットの所定の長さ（スリット長）をも含めて、前記ＰＳＤセンサから出力される信号の「分離」の処理が行われるようにしている。これにより、従来よりも「分離」の処理の精度が向上することから、識別コードの読取り精度を向上させることができる。なお、識別コードには、例えば写真フィルムの種類、メーカー名、写真フィルム感度、コマ番号といった識別情報が記録されているが、これに限らず、前記識別情報とは異なる新たな情報（新規情報）が記録されていてもよい。
【００１９】
請求項２に記載の発明は、前記請求項１に記載の発明において、前記クロック側領域受光出力又は前記データ側領域受光出力が、前記ＰＳＤセンサでの前記クロック側領域を透過した光の受光量又は前記データ側領域を透過した光の受光量に対応して分離されることを特徴としている。
【００２０】
請求項２に記載の発明によれば、前記ＰＳＤセンサでの前記クロック側領域を透過した光の受光量又は前記データ側領域を透過した光の受光量に対応して上述の「分離」の処理が行われることで、従来よりも識別コードの読取り精度を向上させることができる。
【００２１】
【発明の実施の形態】
図１及び図２には、本発明の実施の形態に係るディジタルラボシステム１０の概略構成が示されている。
【００２２】
図１に示すように、このディジタルラボシステム１０は、エリアＣＣＤスキャナ１４、画像処理部１６、レーザプリンタ部１８、及びプロセッサ部２０を含んで構成されており、エリアＣＣＤスキャナ１４と画像処理部１６は、図２に示す入力部２６として一体化されており、レーザプリンタ部１８及びプロセッサ部２０は、図２に示す出力部２８として一体化されている。
【００２３】
エリアＣＣＤスキャナ１４は、ネガフィルムやリバーサルフィルム等の写真フィルムに記録されているコマ画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。エリアＣＣＤスキャナ１４は、上記の読取対象のコマ画像をエリアＣＣＤ３０で読取り、Ａ/Ｄ変換器３２においてＡ/Ｄ変換した後、画像データを画像処理部１６へ出力する。
【００２４】
なお、本実施の形態では、１３５サイズの写真フィルム２２を適用した場合のディジタルラボシステム１０として説明する。
【００２５】
画像処理部１６は、エリアＣＣＤスキャナ１４から出力された画像データ（スキャン画像データ）が入力されると共に、デジタルカメラ３４等での撮影によって得られた画像データ、原稿（例えば反射原稿等）をスキャナ３６（フラットベット型）で読み取ることで得られた画像データ、他のコンピュータで生成され、フロッピディスクドライブ３８、ＭＯドライブ又はＣＤドライブ４０に記録された画像データ、及びモデム４２を介して受信する通信画像データ等（以下、これらをファイル画像データと総称する）を外部から入力することも可能なように構成されている。
【００２６】
画像処理部１６は、入力された画像データを画像メモリ４４に記憶し、色階調処理部４６、ハイパートーン処理部４８、ハイパーシャープネス処理部５０等で各種の補正等の画像処理を行って、記録用画像データとしてレーザプリンタ部１８へ出力する。また、画像処理部１６は、画像処理を行った画像データを画像ファイルとして外部へ出力する（例えばＦＤ、ＭＯ、ＣＤ等の記憶媒体に出力したり、通信回線を介して他の情報処理機器へ送信する等）ことも可能とされている。
【００２７】
レーザプリンタ部１８はＲ、Ｇ、Ｂのレーザ光源５２を備えており、レーザドライバ５４を制御して、画像処理部１６から入力された記録用画像データ（一旦、画像メモリ５６に記憶される）に応じて変調したレーザ光を印画紙に照射して、走査露光（本実施形態では、主としてポリゴンミラー５８、ｆθレンズ６０を用いた光学系）によって印画紙６２に画像を記録する。また、プロセッサ部２０は、レーザプリンタ部１８で走査露光によって画像が記録された印画紙６２に対し、発色現像、漂白定着、水洗、乾燥の各処理を施す。これにより、印画紙上に画像が形成される。
（エリアＣＣＤスキャナの構成）
次にエリアＣＣＤスキャナ１４の構成について図３を参照して説明する。図３にはエリアＣＣＤスキャナ１４の光学系の概略構成が示されている。後述するように、ファインスキャン用のエリアＣＣＤ３０と、プレスキャン用のラインＣＣＤ１０６に対して同一の光源（ハロゲンランプ６４）を用いるものである。
【００２８】
この光学系は、光源であるハロゲンランプ６４を備えている。ハロゲンランプ６４が焦点位置に位置するように、放物面状のリフレクタ２４が配設されており、ハロゲンランプ６４から射出されリフレクタ２４によって反射された光がフィルムキャリア７８の搬送路上の第２読取位置Ｐ２（写真フィルム２２）方向に照射されるものである。
【００２９】
ハロゲンランプ６４の光射出側には、ハロゲンランプ６４からの出射光からＩＲ（赤外光）成分を除去するＩＲカットフィルタ６６、色分解フィルタ７０Ｒ、７０Ｇ、７０Ｂ、ミラーボックス７２が光軸Ｌに沿って順に配設されている。色分解フィルタ７０Ｒ、７０Ｇ、７０Ｂは、それぞれ独立に光路に対して進退可能に構成されており、ハロゲンランプ６４から照射され、ＩＲカットフィルタ６６で赤外光成分をカットされた可視光を色分解するものである。
【００３０】
ミラーボックス７２は、ハロゲンランプ６４からの出射光を内壁で反射して拡散させながら写真フィルム２２のコマ画像に案内するものである。
【００３１】
さらに、ミラーボックス７２の上部には、ミラーボックス７２から射出される可視光の半分程度を反射させる反射ミラー９０が備えられている。この反射ミラー９０で反射された可視光が反射ミラー９２でさらに反射されて後述するフィルムキャリア７８の第１読取位置Ｐ１に案内される構成である。
【００３２】
写真フィルム２２が装填されるフィルムキャリア７８は、プレスキャンとファインスキャンを並行的に処理するために、ループ形成部１００を挟んで写真フィルム２２を連続搬送するプレスキャン部１０２と、写真フィルム２２が所定位置で停止し、コマ画像を読み取られると画像コマピッチ分搬送する間欠的搬送が行なわれるファインスキャン部１０４とを備える。プレスキャン部１０２は、第１読取位置Ｐ１で、ファインスキャン部１０４は第２読取位置Ｐ２で写真フィルム２２に可視光が照射されるように構成されている。
【００３３】
この第１読取位置Ｐ１において、写真フィルム２２を挟んで反射ミラー９２と反対側には、写真フィルム２２を透過した光を結像させるレンズユニット７４、及び結像位置に設けられたラインＣＣＤ１０６が順に配置されている。
【００３４】
ラインＣＣＤ１０６は、ＲＧＢ３色それぞれを単独で読取可能な３個のラインＣＣＤから構成されている。
【００３５】
一方、第２読取位置Ｐ２において、写真フィルム２２を挟んでハロゲンランプ６４と反対側には、写真フィルム２２を透過した光を結像させるレンズユニット７４、及び結像位置に設けられたエリアＣＣＤ３０が順に配置されている。
【００３６】
エリアＣＣＤ３０は、光を検出する複数の画素が写真フィルム２２の長手方向および幅方向に沿って平面（二次元）的に並べられており、全画素が受光した光に応じて電荷を蓄積する機能を有しており、コマ画像（二次元）を電気的に読み取ることができる。
【００３７】
なお、画像処理部１６の画像メモリ４４には、予め可視光（ＲＧＢ）に対するシェーディング補正データが記憶されている。
【００３８】
また、写真フィルム２２には、図４（Ａ）に示される如く、前記写真フィルム２２を識別するために用いられる識別情報をクロック側の領域（以下、クロック側領域という。）１０７Ａとデータ側の領域（以下、データ側領域という。）１０７Ｂとを隣接してコード化した識別コード（ＤＸコード）１０７が記録されている。前記データ側領域１０７Ｂのバーコードには、少なくとも前記写真フィルム２２の種類、メーカー名、写真フィルム感度、及びコマ番号を含む識別情報が予め設定された規格に従って記録されているが、これに限らず、前記識別情報とは異なる新たな情報（新規情報）が記録されていてもよい。また、前記クロック側領域１０７Ａのバーコードには、所定の間隔で識別情報を読取るためのクロック情報が記録されている。前記クロック側領域１０７Ａのバーコードと、前記データ側領域１０７Ｂのバーコードと、を隣接して前記写真フィルム２２に記録することで、前記ＤＸコード１０７が構成されている。
【００３９】
フィルムキャリア７８において、写真フィルム２２の搬送方向（図４（Ａ）中の矢印Ａ方向）上流側には、前記ＤＸコード１０７に対して光を照射するＬＥＤ１０８が設けられている。
【００４０】
また、前記フィルムキャリア７８には、スリット板１１０が設けられている。前記スリット板１１０には、前記写真フィルム２２の幅方向端部を透過した光を所定の長さＬｓ（以下、「スリット長Ｌｓ」という。）だけ通過させるためのスリット１１０Ａが前記隣接する方向に設けられている。
【００４１】
さらに、前記フィルムキャリア７８には、前記隣接する方向に前記スリット長Ｌｓよりも長い長さＬ（以下、「受光領域長Ｌ」という。）の受光領域を有するＰＳＤセンサ１１２が設けられている。
【００４２】
図４（Ｂ）には、スリット１１０ＡとＤＸコード１０７との位置関係を示す上面図が示されている。
【００４３】
写真フィルム２２の搬送方向の前記スリット１１０Ａの長さが、所定の長さＷｓ（以下、「スリット幅Ｗｓ」という。）となっている。
【００４４】
本実施の形態では、前記スリット幅Ｗｓが０．１ｍｍとなるようにしている。また、前記ＤＸコード１０７のクロック側領域１０７Ａの前記搬送方向に隣り合う、バーコードとバーコードとの間の幅（バーコードとバーコードとの間の最小単位の幅）Ｗが、規格によって０．３８〜０．５３ｍｍに定められている。すなわち、前記スリット幅Ｗｓが、前記バーコードとバーコードとの間の幅Ｗよりも狭くなっている。
【００４５】
また、写真フィルム２２が蛇行して搬送された場合でも、前記クロック側領域１０７Ａのバーコードを透過した透過光と前記データ側領域１０７Ｂのバーコードを透過した透過光との双方が前記スリット１１０Ａを通過できるように、上述したスリット長Ｌｓが設定されている。
【００４６】
図５（Ａ）には、ＤＸコード１０７とＰＳＤセンサ１１２との位置関係が示されている。前記ＤＸコード１０７のクロック側（以下、Ｃ側ともいう。）領域１０７Ａとデータ側（以下、Ｄ側ともいう。）領域１０７Ｂとの境界線（図５（Ａ）での一点鎖線）が、前記ＰＳＤセンサ１１２の受光領域の中心位置上を経るようになっている。ここでは、説明の簡略化のため、スリット板１１０及びスリット１１０Ａを図示することを省略するが、前記境界線が前記スリット１１０Ａのスリット長Ｌｓの中心位置上を経るようになっている。
【００４７】
図５（Ｂ）には、スリット１１０ＡとＰＳＤセンサ１１２との位置関係を表す断面図が示されている。
【００４８】
ＰＳＤセンサ１１２には、２つの出力端が設けられており、一方の出力端がクロック側領域１０７Ａと対向し、かつ他方の出力端がデータ側領域１０７Ｂと対向するように配置されている。
【００４９】
前記出力端の各々から出力される信号には、写真フィルム２２のクロック側領域１０７Ａを透過した透過光を受光することで出力されるクロック側領域受光出力と、前記写真フィルム２２のデータ側領域１０７Ｂを透過した透過光を受光することで出力されるデータ側領域受光出力と、が含まれる。
【００５０】
ここでは、ＰＳＤセンサ１１２からのクロック側出力Ｃｏに含まれる、クロック側領域受光出力及びデータ側領域受光出力が、（従来の技術）の欄で説明した如く、クロック側領域１０７Ａからの入力光（受光量）Ｃｉ及びデータ側領域１０７Ｂからの入力光（受光量）Ｄｉに基づいた量となっている。
【００５１】
前記クロック側領域受光出力のクロック側出力Ｃｏへの影響量は、ＰＳＤセンサ１１２においてクロック側領域１０７Ａを透過した透過光を受光した量（受光量）に基づくことから、図５（Ｂ）中の面積Ｓ１となる。また、前記データ側領域受光出力のクロック側出力Ｃｏへの影響量は、ＰＳＤセンサ１１２においてデータ側領域１０７Ｂを透過した透過光を受光した量（受光量）に基づくことから、図５（Ｂ）中の面積Ｓ２となる。
【００５２】
ここで、面積Ｓ１と面積Ｓ２との比の値は、
Ｓ１：Ｓ２＝（２Ｌ＋Ｌｓ）：（２Ｌ−Ｌｓ）…▲１▼
となる（後述）。
【００５３】
ＰＳＤセンサ１１２の受光領域長Ｌに対するスリット１１０Ａのスリット長Ｌｓの割合をＸとすると、
Ｌｓ＝Ｘ×Ｌ…▲２▼
となるから、式▲１▼に式▲２▼を代入すると、
Ｓ１：Ｓ２＝（２＋Ｘ）：（２−Ｘ）…▲３▼
となる。
【００５４】
例えば、スリット１１０Ａのスリット長ＬｓがＰＳＤセンサ１１２の受光領域長Ｌの半分であるとすると、Ｘ＝０．５となることから、Ｓ１：Ｓ２＝５：３となる。また、前記スリット長Ｌｓが前記受光領域長Ｌの４割であるとすると、Ｘ＝０．４となることから、Ｓ１：Ｓ２＝３：２となる。
【００５５】
本実施の形態では、ＰＳＤセンサ１１２の出力端から出力される信号であるクロック側出力Ｃｏとデータ側出力Ｄｏとの各々が、上述した式▲３▼に基づいて、クロック側領域受光出力とデータ側領域受光出力とに分離されるようになっている。
【００５６】
図６には、ＰＳＤセンサ１１２によって検知されたＤＸコード１０７に基づいて画像処理を行うための機能ブロック図が示されている。
【００５７】
ＰＳＤセンサ１１２には、前記ＰＳＤセンサ１１２から出力されるクロック側出力Ｃｏを上述した式▲３▼に基づいて、前記ＰＳＤセンサ１１２のクロック側領域受光出力とデータ側領域受光出力とに分離する分離処理部１１４が接続されている。
【００５８】
また、前記分離処理部１１４には、前記分離処理部１１４から出力される前記ＰＳＤセンサ１１２のクロック側領域受光出力とデータ側領域受光出力とに基づいてＤＸコード１０７を解読するＤＸコード解読部１１６が接続されている。
【００５９】
さらに、前記ＤＸコード解読部１１６には、上述した画像処理部１６が接続されており、解読されたＤＸコード１０７から得られる情報に基づいて、上述した各種の補正等の画像処理が行われるようになっている。
【００６０】
（面積Ｓ１と面積Ｓ２との比の値の根拠）
以下に、面積Ｓ１と面積Ｓ２との比の値が式▲１▼で表される根拠について説明する。
【００６１】
図７には、面積Ｓ１と面積Ｓ２との比を求めるための説明図が示されている。
【００６２】
面積Ｓ１と面積Ｓ２とのそれぞれの値は、
Ｓ１＝（ＡＭ＋ＢＤ）×ＭＤ×１／２…▲４▼
Ｓ２＝（ＡＭ＋ＥＦ）×ＭＦ×１／２…▲５▼
となる。ここで、ＡＭ＝ａ，ＢＧ＝ＥＨ＝ｂとすると、
ＢＤ＝ＢＧ＋ＧＤ＝ＢＧ＋ＡＭ＝ａ＋ｂ
ＥＦ＝ＨＦ−ＨＥ＝ＡＭ−ＨＥ＝ａ−ｂ
となる。ＭＤ＝ＭＦ＝Ｌｓ／２であることから、面積Ｓ１と面積Ｓ２との比の値は、式▲４▼及び式▲５▼により、
0003727606.tif 000002
となる。
【００６３】
ここで、△ＡＢＧ∽△ＣＡＭであるから、
ＡＧ：ＢＧ＝ＣＭ：ＡＭ…▲７▼
が得られ、ＡＧ＝ＤＭ＝Ｌｓ／２，ＣＭ＝Ｌ／２であることから、式▲７▼は、
Ｌｓ／２：ｂ＝Ｌ／２：ａ…▲８▼
となる。すなわち、式▲８▼より、
ｂ＝（Ｌｓ／Ｌ）×ａ…▲９▼
が求められる。式▲９▼を式▲６▼に代入し、式▲６▼を整理すると、面積Ｓ１と面積Ｓ２との比の値は、
Ｓ１：Ｓ２＝（２Ｌ＋Ｌｓ）：（２Ｌ−Ｌｓ）
となり、上述した式▲１▼が得られる。
【００６４】
次に、本実施の形態の作用について説明する。
【００６５】
以下、上述したスリット長Ｌｓが上述した受光領域長Ｌの４割、すなわちＸ＝０．４であるとして説明する。
【００６６】
図８には、ＤＸコード１０７を読み取る際のフローチャートが示されている。
【００６７】
ＤＸコード１０７の読取り処理が開始されると（ステップ２００）、ステップ２０２へ移行し、ＬＥＤ１０８から写真フィルム２２の幅方向端部に記録されたＤＸコード１０７へ光が照射され、ステップ２０４へ移行する。
【００６８】
ステップ２０４では、ＰＳＤセンサ１１２の受光領域長Ｌに対するスリット１１０Ａのスリット長Ｌｓの割合Ｘの値Ｘ＝０．４に基づいて定められたＳ１：Ｓ２の値、すなわちＳ１：Ｓ２＝３：２により、前記ＰＳＤセンサ１１２から出力されるクロック側出力Ｃｏが、クロック側領域受光出力とデータ側領域受光出力とに分離される。
【００６９】
ここで、
Ｃｏ＝３Ｃｉ＋２Ｄｉ…（５）
Ｄｏ＝２Ｃｉ＋３Ｄｉ…（６）
が成り立ち、式（５）及び式（６）からなる連立方程式を入力光Ｃｉと入力光Ｄｉとのそれぞれについて解くと、
Ｃｉ＝（３Ｃｏ−２Ｄｏ）／５…（７）
Ｄｉ＝（３Ｄｏ−２Ｃｏ）／５…（８）
となる。このようにして得られた式（７）及び式（８）に基づいて、前記ＰＳＤセンサ１１２から出力されるクロック側出力Ｃｏが、クロック側領域受光出力とデータ側領域受光出力とに分離される。このパラメータを用いて、上述した「分離処理」を行うことで、従来よりもＤＸコード１０７の読取り精度が向上し、読取り誤差を防ぐことができる。前記クロック側出力Ｃｏを、前記クロック側領域受光出力とデータ側領域受光出力とに分離する分離処理が終了すると、ステップ２０６へ移行する。
【００７０】
ステップ２０６では、クロック側領域受光出力とデータ側領域受光出力とに基づいてＤＸコード１０７が解読され、ＤＸコード１０７の読取り処理が終了する（ステップ２０８）。
【００７１】
なお、本実施の形態では、クロック側出力Ｃｏが、クロック側受光出力とデータ側受光出力とに分離される場合について説明したが、これに限らない。データ側出力Ｄｏをクロック側領域受光出力とデータ側受光出力とに分離する際には、上述した面積Ｓ１と面積Ｓ２との値が、前記クロック側出力Ｃｏをクロック側領域受光出力とデータ側領域受光出力とに分離する場合と逆の値になる。このため、前記データ側出力Ｄｏをクロック側領域受光出力とデータ側領域受光出力とに分離する際には、式▲１▼に代えて、
Ｓ１：Ｓ２＝（２Ｌ−Ｌｓ）：（２Ｌ＋Ｌｓ）…▲１▼´
を用いて分離処理を行うようにすればよい。
【００７２】
本実施の形態によれば、ＰＳＤセンサ１１２の受光領域長Ｌだけでなく、スリット１１０Ａのスリット長Ｌｓをも含めて、前記ＰＳＤセンサ１１２から出力される信号をクロック側領域受光出力とデータ側領域受光出力とに分離する分離処理を行うことで、従来よりもＤＸコード１０７の読取り精度を向上させることができる。
【００７３】
【発明の効果】
写真フィルムのクロック側領域とデータ側領域とが隣接する方向のＰＳＤセンサの受光領域長だけでなく、前記隣接する方向のスリットの所定の長さをも含めて、前記ＰＳＤセンサから出力された信号の分離を行うことで、従来よりも識別コードの読取り精度を向上させることができる。
【図面の簡単な説明】
【図１】本発明の実施の形態に係るディジタルラボシステムの概略構成図である。
【図２】ディジタルラボシステムの外観図である。
【図３】本発明の実施の形態に係るエリアＣＣＤスキャナの光学系の概略構成を示す斜視図である。
【図４】（Ａ）は、本実施の形態に係るフィルムキャリアの分解斜視図であり、（Ｂ）はスリットとＤＸコードとの位置関係を示す上面図である。
【図５】（Ａ）は本実施の形態に係るＤＸコードとＰＳＤセンサとの位置関係を示す上面図であり、（Ｂ）はスリットとＰＳＤセンサとの位置関係を示す断面図である。
【図６】本実施の形態に係る、ＰＳＤセンサによって検知されたＤＸコードに基づいて画像処理を行うための機能ブロック図である。
【図７】本実施の形態に係る面積Ｓ１と面積Ｓ２との比を求めるための説明図である。
【図８】本実施の形態に係るＤＸコードを読み取る際のフローチャートである。
【図９】ＰＳＤセンサの出力特性を示す図である。
【図１０】（Ａ）は従来の技術におけるＤＸコードとＰＳＤセンサとの位置関係を示す上面図であり、（Ｂ）はスリットとＰＳＤセンサとの位置関係を示す断面図である。
【符号の説明】
１０      ディジタルラボシステム
１４      エリアＣＣＤスキャナ
１６      画像処理部
２２      写真フィルム
７８      フィルムキャリア
１０７    ＤＸコード（識別コード）
１０７Ａ  クロック側領域
１０７Ｂ  データ側領域
１０８    ＬＥＤ（照射手段）
１１０    スリット板
１１０Ａ  スリット
１１２    ＰＳＤセンサ
１１４    分離処理部（出力分離手段）
１１６    ＤＸコード解読部（解読手段）
【図１】
0003727606.tif 000003
【図２】
0003727606.tif 000004
【図３】
0003727606.tif 000005
【図４】
0003727606.tif 000006
【図５】
0003727606.tif 000007
【図６】
0003727606.tif 000008
【図７】
0003727606.tif 000009
【図８】
0003727606.tif 000010
【図９】
0003727606.tif 000011
【図１０】
0003727606.tif 000012